(57)【特許請求の範囲】
【請求項１】
記録紙の両面に印刷する両面印刷機能と記録紙の片面に印刷する片面印刷機能とを有する画像形成ユニットと、操作表示部に設けられ、受信した文書を印刷するときとレポートを印刷するときに、両面印刷をするか片面印刷をするかをそれぞれ独立して選択する両面／片面印刷選択部と、両面／片面印刷選択部で選択された印刷方式を設定する両面／片面切替制御部と、受信した文書又はレポートを印刷するとき、両面／片面切替制御部に設定された印刷方式により画像形成ユニットの動作を制御するエンジン制御部を有し、
前記エンジン制御部は、レポートの印刷が指定されたとき、レポートのテキスト部と画像部を改頁し、レポートのテキスト部を印刷した最終頁の次の頁にレポートの画像部を印刷することを特徴とするファクシミリ装置。
【請求項２】
記録紙の両面に印刷する両面印刷機能と記録紙の片面に印刷する片面印刷機能及び受信した文書を印刷するときとレポートを印刷するときに、両面印刷をするか片面印刷をするかをそれぞれ独立して選択する機能とを有するファクシミリ装置の印刷方法であって、
レポートの印刷が指定されたとき、レポートのテキスト部と画像部を改頁し、レポートのテキスト部を印刷した最終頁の次の頁にレポートの画像部を印刷することを特徴とする印刷方法。
【発明の詳細な説明】
【０００１】
【発明の属する技術分野】
この発明は、両面印刷機能を有するファクシミリ装置及び印刷方法、特に見易い画像の形成と記録紙の節約に関するものである。
【０００２】
【従来の技術】
ファクシミリ装置では受信した文書を記録紙に出力するとともに通信結果等を示すレポートを記録紙に出力する。この受信した文書やレポートを出力する記録紙を有効に利用するため、両面印刷機能を有するファクシミリ装置が使用されている。
【０００３】
【発明が解決しようとする課題】
レポートには例えばＡ５横またはＡ４縦の長さの１ページまたは複数ページのテキスト部と、最大でＡ４縦の１ページの画像部とがあるものが存在する。このテキスト部の長さと画像部の長さが一定でなく、両面印刷機能を有するファクシミリ装置で両面印刷したときに、記録紙の表面と裏面の境と、テキスト部と画像部の境が一致しない場合がある。例えばテキスト部がＡ５横長の長さで、画像部がＡ４縦長の長さとするし、Ａ４サイズの記録紙に印刷する場合、1.5ページ分の印刷となる。これを両面印刷でそのまま印刷すると、表面にテキスト部のＡ５横長サイズと画像部の前半分のＡ５横長サイズが印刷され、裏面に画像部の後半分のＡ５横長サイズが印刷され、見にくいレポートとなってしまう。
【０００４】
また、受信した文書にはカバーレターが付いてくることが多い。この受信した文書を記録紙に印刷して保存するときにカバーレターを除きたい要求も有るが、記録紙の両面に印刷すると、カバーレターを除くことができなくなるという不都合が生じる。
【０００５】
この発明は係る短所を改善し、受信した文書やレポートを出力する記録紙を有効に利用するとともに見易い文書やレポートを印刷することができるファクシミリ装置及び印刷方法を提供することを目的とするものである。
【０００６】
【課題を解決するための手段】
この発明に係るファクシミリ装置は、記録紙の両面に印刷する両面印刷機能と記録紙の片面に印刷する片面印刷機能とを有する画像形成ユニットと、操作表示部に設けられ、受信した文書を印刷するときとレポートを印刷するときに、両面印刷をするか片面印刷をするかをそれぞれ独立して選択する両面／片面印刷選択部と、両面／片面印刷選択部で選択された印刷方式を設定する両面／片面切替制御部と、受信した文書又はレポートを印刷するとき、両面／片面切替制御部に設定された印刷方式により画像形成ユニットの動作を制御するエンジン制御部を有し、前記エンジン制御部は、レポートの印刷が指定されたとき、レポートのテキスト部と画像部を改頁し、レポートのテキスト部を印刷した最終頁の次の頁にレポートの画像部を印刷することを特徴とする。
【０００９】
この発明の印刷方法は、記録紙の両面に印刷する両面印刷機能と記録紙の片面に印刷する片面印刷機能及び受信した文書を印刷するときとレポートを印刷するときに、両面印刷をするか片面印刷をするかをそれぞれ独立して選択する機能とを有するファクシミリ装置の印刷方法であって、レポートの印刷が指定されたとき、レポートのテキスト部と画像部を改頁し、レポートのテキスト部を印刷した最終頁の次の頁にレポートの画像部を印刷することを特徴とする。
【００１０】
【発明の実施の形態】
図１はこの発明のファクシミリ装置１の構成図である。ファクシミリ装置１は複写機能とプリンタ機能を有し、画像形成ユニット２の下部には記録紙を収納した２段の給紙トレイ３ａ，３ｂが設けられ、上部に読取ユニット４を有する。給紙トレイ３ａ，３ｂは給紙ローラ５ａ，５ｂを有しており、給紙ローラ５ａ，５ｂにより給紙トレイ３ａ，３ｂ内に積載された記録紙を１枚ずつ給紙する。給紙ローラ５ａ，５ｂの下流側近傍は合流して縦搬送経路６が形成されている。縦搬送経路６には、搬送ローラ７，８と、感光体ドラム９及び光学ユニット１０を有する画像形成部１１と、定着部１２が配置されている。この縦搬送経路６の下流端には排紙ローラ１３が設けられ、画像を形成した記録紙を排紙部１４に搬送する。また、縦搬送経路６の外側には、支軸１５を支点として回転方向に開閉可能な手差しトレイ１６が設けられている。この画像形成ユニット２の側面で支軸１５の上部近傍には手差し給紙を行うための給紙口が設けられ、両面ユニット１７と共通に用いられる搬送経路である共通搬送経路２０が搬送ローラ７と搬送ローラ８の間で縦搬送経路６と合流している。そして手差しトレイ１６を水平に開放したときに手差し給紙が可能となり、手差しトレイ１６にセットした記録紙は共通搬送経路２０から縦搬送経路６に搬送される。
【００１１】
給紙ユニット３ａ，３ｂあるいは手差しトレイ１６から給紙された記録紙は画像形成部１１に搬送される。画像形成部１１は、光学ユニット１０により感光体ドラム９に書き込まれて形成された静電潜像を現像し、現像した画像を記録紙に転写する。定着部１２は画像が転写された記録紙に熱及び圧力を加えて画像を定着する。画像が定着された記録紙は排紙ローラ１３から排紙部１４に排出される。両面ユニット１７は装置本体２の外側部に設置され、記録紙の両面に画像を形成するときは、片面に画像を形成した記録紙を画像形成ユニット２の上部に設けた搬送ローラ１８によりスイッチバック経路１９に送り、スイッチバック経路１９から両面ユニット１７を介して再び縦搬送経路６に記録紙を搬送する。
【００１２】
このファクシミリ装置１の制御装置２１は図２のブロック図に示すように、システム制御部２２とシステムメモリ２３と読出専用メモリ２４と書込可能不揮発性メモリ２５と網制御部２６とモデム２７と画像メモリ２８と符号化復号化部２９とエンジン制御部３０及び両面／片面切替制御部３１を有する。
【００１３】
システム制御部２２は装置全体の動作を制御するとともにファクシミリ伝送制御手順を実行する。システムメモリ２３はシステム制御部２２が制御プログラムを実行するときに、必要なデータを記憶したりワークエリアとして利用する。読出専用メモリ２４は制御プログラムや各種制御データを記憶する。書込可能不揮発性メモリ２５は制御上必要なパラメータやユーザ操作などで得られる登録データを格納する。網制御部２６は自動発信機能を有し、公衆回線網に接続する。画像メモリ２５は送信画像や受信画像を記憶する。符号化復号化部２９は画像データを圧縮したり、圧縮された画像データを伸長する。エンジン制御部３０は画像形成ユニット２の動作を制御する。両面／片面切替制御部３１は操作表示部３２からの切替信号により画像形成ユニット２の両面印刷機能と片面印刷機能を切り替える。
【００１４】
操作表示部３２は各種キーや表示部を有し、操作者が通信操作や登録操作などを行う。この操作表示部３２には、図３（ａ）に示すように、受信した文書を印刷するときと複写機として使用するときとプリンタとして使用するとき及びレポートを印刷するときに、両面印刷をするか片面印刷をするかをそれぞれ独立して選択する両面／片面印刷選択画面３２１を有する。そして受信した文書を両面印刷で印刷する場合は、両面／片面印刷選択画面３２１でファクスの番号を指定すると、（ｂ）に示すように受信した文書の両面印刷設定画面３２２が表示され、両面／片面切替制御部３１に受信した文書の印刷方法として両面印刷が設定される。また、レポートを両面印刷で印刷する場合は、両面／片面印刷選択画面３２１でレポートの番号を指定すると、（ｃ）に示すようにレポートの両面印刷設定画面３２３が表示され、両面／片面切替制御部３１にレポートの印刷方法として両面印刷が設定される。このようにして印刷する文書の種類に応じて両面／片面切替制御部３１に両面印刷か片面印刷を設定することができる。
【００１５】
このファクシミリ装置１で受信した文書やレポートを印刷するときの動作を図４のフローチャートを参照して説明する。
【００１６】
受信した文書やレポートを印刷するとき、システム制御部２２は受信した文書を印刷するかどうかを判定する（ステップＳ１）。この判定の結果、受信した文書を印刷しないときは、レポートを印刷するかどうかを判定し（ステップＳ２）、レポートを印刷するときは、読出専用メモリ２４のキャラクタジェネレータからレポートのテキスト部を読み出して画情報に展開してシステムメモリ２３のページメモリに展開する。また、レポートの画像部を画像メモリ２８から読出し、符号化復号化部２９で復号化させてシステムメモリ２３のページメモリに展開する。レポートのテキスト部と画像部の画像データをシステムメモリ２３に展開すると、システム制御部２２はエンジン制御部３０にレポートの印刷指令を送り、システムメモリ２３に展開した画像データをエンジン制御部３０に送る。エンジン制御部３０はレポートの印刷指令が送られると、両面／片面切替制御部３１にレポートの印刷方法として両面印刷が設定されているか片面印刷画設定されているかを判定し（ステップＳ３）、片面印刷が設定されている場合は、片面印刷機能を選択して画像形成ユニット２に印刷を実行させる（ステップＳ４）。この片面印刷でレポートを印刷するとき、エンジン制御部３０は印刷するテキスト部と画像部を改頁して、テキスト部と画像部を異なる記録紙に印刷する（ステップＳ５）。また、両面印刷が設定されている場合は、両面印刷機能を選択して画像形成ユニット２に印刷を実行させる（ステップＳ６）。この両面印刷でレポートを印刷するとき、エンジン制御部３０は印刷するテキスト部と画像部を改頁して、テキスト部を記録紙の表面に印刷し、画像部をテキスト部を印刷した記録紙の裏面に印刷する（ステップＳ７）。このレポートのテキスト部と画像部を印刷するとき、テキスト部が例えば３頁分有るときは、１枚目の記録紙の表面と裏面にテキスト部の１頁と２頁を印刷し、２枚目の記録紙の表面にテキスト部の３頁を印刷し、２枚目の記録紙の裏面に画像部を印刷する。
【００１７】
このようにレポートを印刷するとき、テキスト部と画像部を改頁して印刷するから、見易いレポートを印刷することができる。
【００１８】
また、受信した文書を印刷するとき、システム制御部２２は受信した文書の画像データを画像メモリ２８から読出し、符号化復号化部２９で復号化させてシステムメモリ２３のページメモリに順次展開する。１頁分の画像データをシステムメモリ２３に展開すると、システム制御部２２はエンジン制御部３０に受信文書の印刷指令を送り、システムメモリ２３に展開した画像データをエンジン制御部３０に送る。エンジン制御部３０は受信文書の印刷指令が送られると、両面／片面切替制御部３１に受信文書の印刷方法として両面印刷が設定されているか片面印刷画設定されているかを判定し（ステップＳ８）、両面印刷が設定されている場合は、両面印刷機能を選択して画像形成ユニット２に印刷を実行させる（ステップＳ９，Ｓ１０）。また、片面印刷が設定されている場合は、片面印刷機能を選択して画像形成ユニット２に印刷を実行させる（ステップＳ１１，Ｓ１０）。
【００１９】
【発明の効果】
この発明は以上説明したように、記録紙の両面に印刷する両面印刷機能と記録紙の片面に印刷する片面印刷機能とを有するファクシミリ装置において、受信した文書を印刷するときとレポートを印刷するときに、両面印刷をするか片面印刷をするかをそれぞれ独立して選択して設定し、受信した文書又はレポートを印刷するとき、それぞれ設定された印刷方式により記録紙に印刷するようにようにしたから、レポートの印刷に裏紙などを使用して片面印刷しかできない場合でも、受信した文書を両面印刷することができ、記録紙を有効に利用することができる。
【００２０】
また、レポートの印刷が指定されたとき、レポートのテキスト部と画像部を改頁して印刷することにより、テキスト部と画像部を確実に分離して見易いレポートを得ることができる。
【００２１】
さらに、レポートの印刷が指定され、レポートの印刷方式として両面印刷が設定されているとき、レポートのテキスト部を印刷した最終頁の次の頁にレポートの画像部を印刷することにより、テキスト部と画像部を分離するとともにレポートを印刷する記録紙の枚数を低減することができる。
【図面の簡単な説明】
【図１】この発明のファクシミリ装置の構成図である。
【図２】ファクシミリ装置の制御装置の構成を示すブロック図である。
【図３】操作表示部の両面／片面印刷選択画面と印刷方式の設定画面を示す表示図である。
【図４】受信した文書とレポートを印刷するときの動作を示すフローチャートである。
【符号の説明】
１；ファクシミリ装置、２；画像形成ユニット、３；給紙トレイ、
４；読取ユニット、１１；画像形成部、１２；定着部、１４；排紙部、
１７；両面ユニット、２１；制御装置、２２；システム制御部、
２３；システムメモリ、２４；読出専用メモリ、
２５；書込可能不揮発性メモリ、２６；網制御部、２７；モデム、
２８；画像メモリ、２９；符号化復号化部、３０；エンジン制御部、
３１；両面／片面切替制御部、３２；操作表示部。
【図１】
0003851579.tif 000002
【図２】
0003851579.tif 000003
【図３】
0003851579.tif 000004
【図４】
0003851579.tif 000005